(57)【特許請求の範囲】
【請求項１】
上下部に流出入口を設けたケーシングと、該ケーシング内に設けた複数枚の渦流板と、該渦流板の下方に回転自在に設けた回転体とにより構成し、回転体に被検知部を設けると共に、ケーシングに被検知部の識別要素の透過部を設け、該透過部の外側に被検知部の識別要素を検知するセンサーを設けた流量計において、
ケーシングを、流入口を設けたケーシング本体と流出口を設けた下蓋部により構成し、又渦流板を、ケーシング本体内に収容する筒体の内周面に形成し、又下蓋部の上面中央に回転体の下方受け座を突設すると共に、筒体の上部中央に設けて渦流板の内周部を固設する上方受け座の下面を円錐凹面とし、又回転体の上部である尖端状の頭部下部に放射状に羽根板を設けると共に、該羽根板の下部に設けた底部の底面を円錐凹面とし、頭部の上部を上方受け座の円錐凹面内に、下蓋部の下方受け座を回転体の円錐凹面内に夫々位置させたことを特徴とする流量計。
【発明の詳細な説明】
【０００１】
【発明の属する技術分野】
本発明は、内蔵された回転体の単位時間当たりの回転数により流量を計測する様にした流量計に関する。
【０００２】
【従来の技術】
従来、かかる流量計にあっては、断面円形状のケーシングに流出入口を設けると共に、ケーシング内に、羽根を周設した回転体が回転自在に設けられていた。
【０００３】
【発明が解決しようとする課題】
しかし、上記流量計にあっては、羽根の先端部とケーシングの内周面間の隙間が微小であるため、当該隙間に流体中の含有物が挟まって、回転体に回転不良が発生する等、解決せねばならない課題があった。
【０００４】
【課題を解決するための手段】
本発明は、上記従来技術に基づく、流体中の含有物により性能が経時劣化する課題に鑑み、上下部に流出入口を設けたケーシングと、該ケーシング内に設けた複数枚の渦流板と、該渦流板の下方に回転自在に設けた回転体とにより構成し、回転体に被検知部を設けると共に、ケーシングに被検知部の識別要素の透過部を設け、該透過部の外側に被検知部の識別要素を検知するセンサーを設けた流量計において、ケーシングを、流入口を設けたケーシング本体と流出口を設けた下蓋部により構成し、又渦流板を、ケーシング本体内に収容する筒体の内周面に形成し、又下蓋部の上面中央に回転体の下方受け座を突設すると共に、筒体の上部中央に設けて渦流板の内周部を固設する上方受け座の下面を円錐凹面とし、又回転体の上部である尖端状の頭部下部に放射状に羽根板を設けると共に、該羽根板の下部に設けた底部の底面を円錐凹面とし、頭部の上部を上方受け座の円錐凹面内に、下蓋部の下方受け座を回転体の円錐凹面内に夫々位置させ、流入出口からケーシング内に流入した流体を渦流板によりケーシング内で渦流化し、回転体を回転させることによって、透過部を通過した被検知部からの識別要素をセンサーで検知し、回転体の回転数により流量を計測する様にして、上記課題を解決する。
【０００５】
【発明の実施の形態】
以下本発明の実施の形態を図面に基づいて説明する。
図１に示す様に、流路Ｐの中間部に設けた流量計１にあっては、上下部に流入出口２、３を形成したケーシング４と、該ケーシング４内に形成した渦流板５、5a…と、該渦流板５、5a…下方に回転自在に設けた回転体６とにより構成されている。
【０００６】
ケーシング４にあっては、図１〜７に示す様に、下方開口状のケーシング本体７と、該ケーシング本体７の下方開口部を閉鎖する下蓋部８とにより構成されている。
ケーシング本体７にあっては、図１〜６に示す様に、上部中央に流入口２を突設すると共に、側部に陥没部９を形成し、該陥没部９の奥部を、回転体６に近接させると共に回転体６の回転に邪魔にならない様に傾斜面10とし、該傾斜面10に、後述する被検知部27の識別要素の透過部11を形成し、該透過部11はケーシング４の全体或いは傾斜面10の中央部を透明にしたり、傾斜面10の中央部を薄肉化した凹部として磁力線を透過可能にしている。
下蓋部８にあっては、図１、２、３、７に示す様に、蓋部本体12の下部偏心位置に流出口３を突設すると共に、上面中央に円錐形状に形成した、回転体６の下方受け座13を突設し、蓋部本体12の外周側に沿って環状突条14を形成している。
尚、図２、３、７に示す様に、下蓋部８における蓋部本体12の外周部に係止突起15、15a …を突設し、他方ケーシング本体７における内周面下方に縦溝16及び該縦溝16の上端より直角方向に形成した横溝17からなる係止溝18、18a …を刻設し、係止突起15、15a …と係止溝18、18a …における縦溝16の下方より嵌入すると共に、縦溝16の上端へ到達した時点で下蓋部８を回転させ係止突起15、15a …を横溝17に移行させて、後述する筒体19を環状突条14により上方へ押圧、固定すると共に、ケーシング本体７に対し下蓋部８を固定している。
【０００７】
又、渦流板５、5a…にあっては、図２、３、８に示す様に、ケーシング４内に収容される筒体19の内周面に形成され、外周部を筒体19に、内周部を筒体19の上部中央に設けた回転体６の上方受け座20に夫々固設し、外周側の高低差を内周側より大きくすることで、その下方に回転体６を収容する空間を形成している。
又、渦流板５、5a…の上辺を水平辺に下辺を傾斜辺になり、隣接する一方の下辺の上方に他方の上辺を位置させている。
又、隣接する渦流板５、5a…のある一対のものの間を広くすると共に、その間隔部21に応じた切欠22を筒体19に形成し、かかる切欠22の両側部を陥没部９における両側面の内面に当接させている。
又、上方受け座20の下面は、円錐凹面23として、回転体６の上端部を支承している。
【０００８】
又、回転体６にあっては、図２、３、９に示す様に、上部を尖端状にした頭部24と、該頭部24下部に放射状に設けた羽根板25、25a …と、該羽根板25、25a …の下部に設けた底部26とにより構成されている。
頭部24の側面に、後述するセンサー29で検知される被検知部27を設け、該被検知部27にあっては、頭部24に埋設された磁性体を外部露出させて形成したり、或いは頭部24側面の一部に異なる色を塗布するなど、頭部24の側面に設けられた、センサー29で検知可能な特異点としている。
羽根板25、25a …にあっては、外側面を下方且つ外方へ傾斜させて、羽根板25、25a …の幅が下方側へ徐々に広くなる様に形成されている底部26の底面を円錐凹面28としている。
そして、頭部24の上部を上方受け座20の円錐凹面23内に、下蓋部８の下方受け座13を回転体６の円錐凹面28内に夫々位置させて、回転体６を回動自在にしている。
【０００９】
又、図１、２中、29はケーシング４における透過部11の外側に配置された、透過部11を通過した被検知部27の識別要素を検知するセンサーであり、又30はセンサー29を接続する回路であり、該回路30によりセンサー29の検知信号を電気信号にしてＭＰＵ77に送っている。
【００１０】
次に本発明に係る流量計の作用について説明する。
流入出口２からケーシング４内に流体が流入すると、渦流板５、5a…によりケーシング４内で渦流化されて回転体６を回転させる。
そして、透過部11を通過した被検知部27の識別要素をセンサー29で検知し、その回転数により流量を計測する。
【００１１】
【発明の効果】
要するに本発明は、上下部に流出入口２、３を設けたケーシング４と、該ケーシング４内に設けた複数枚の渦流板５、5a…と、該渦流板５、5a…の下方に回転自在に設けた回転体６とにより構成し、該回転体６に被検知部27を設けると共に、ケーシング４に被検知部27の識別要素の透過部11を設け、該透過部11の外側に被検知部27の識別要素を検知するセンサー29を設けたので、回転体６とケーシング４間に発生する渦流によって回転体６が回転するため、相互間は広くなり、例に含有物が析出したとしても、回転体６とケーシング４間に挟まらず、流量計１を更に確かに稼働させることが出来、正常な流量を計測出来る。
【００１２】
又、ケーシング４を、流入口２を設けたケーシング本体７と流出口３を設けた下蓋部８により構成したので、後述する渦流板５、5a…を設けた筒体19のケーシング４内への収容作業を容易化出来、又渦流板５、5a…を、ケーシング本体７内に収容する筒体19の内周面に形成したので、ケーシング本体７の形状の複雑化を防止して製造コストを低減化出来、又下蓋部８の上面中央に回転体６の下方受け座13を突設すると共に、筒体19の上部中央に設けて渦流板５、5a…の内周部を固設する上方受け座20の下面を円錐凹面23とし、又回転体６の上部である尖端状の頭部24下部に放射状に羽根板25、25a …を設けると共に、該羽根板25、25a …の下部に設けた底部26の底面を円錐凹面28とし、頭部24の上部を上方受け座20の円錐凹面23内に、下蓋部８の下方受け座13を回転体６の円錐凹面28内に夫々位置させたので、ケーシング４内に回転体６を確実に回転可能に収容することが出来る。
よって、上記各構成部品を組み立てることにより、内部形状が複雑な流量計１を低コストで簡単に製造することが出来る等その実用的効果甚だ大なるものである。
【図面の簡単な説明】
【図１】本発明に係る流量計の正面図である。
【図２】図１のＥーＥ断面図である。
【図３】図２のＦーＦ断面図である。
【図４】ケーシング本体の斜視図である。
【図５】図４のＧーＧ断面図である。
【図６】図４のＨーＨ断面図である。
【図７】下蓋部の斜視図である。
【図８】筒体内に設けられた渦流板の斜視図である。
【図９】回転体の斜視図である。
【符号の説明】
１          流量計
２          流入口
３          流出口
４          ケーシング
５、5a…    渦流板
６          回転体
７          ケーシング本体
８          下蓋部
11          透過部
13          下方受け座
19          筒体
20          上方受け座
23          円錐凹面
24          頭部
25、25a …  羽根板
26          底部
27          被検知部
28          円錐凹面
29          センサー
【図１】
0004115004.tif 000002
【図２】
0004115004.tif 000003
【図３】
0004115004.tif 000004
【図４】
0004115004.tif 000005
【図５】
0004115004.tif 000006
【図６】
0004115004.tif 000007
【図７】
0004115004.tif 000008
【図８】
0004115004.tif 000009
【図９】
0004115004.tif 000010